(57)【特許請求の範囲】
【請求項１】
高炉ガスを含む燃料を燃焼させて蒸気を発生させる蒸気発生装置と、前記蒸気発生装置で発生した蒸気の熱エネルギーを回転エネルギーに変換する蒸気タービンと、前記蒸気タービンの回転エネルギーを電力に変換する発電機と、を有する高炉ガス焚き発電設備における高炉吹き抜け時の制御方法であって、
高炉吹き抜け時に、前記蒸気発生装置に供給する燃料流量を予め定められた所定の流量まで減少させると共に、前記蒸気発生装置から前記蒸気タービンに蒸気を供給する主蒸気管に設けられた、前記蒸気タービンに流入する蒸気量を制御するガバナ弁の制御対象を、前記発電機の出力から前記主蒸気管の圧力に切り替え、
前記ガバナ弁による前記主蒸気管の圧力制御は、前記高炉吹き抜け前の前記主蒸気管の圧力を維持するように行われ、
前記高炉吹き抜け時に減少させる、前記蒸気発生装置に供給する燃料流量は、前記蒸気発生装置に供給する燃料の総発熱量が、前記前記高炉吹き抜けの前後で変動しないように定められることを特徴とする、高炉ガス焚き発電設備における高炉吹き抜け時の制御方法。
【請求項２】
前記蒸気発生装置はボイラであり、
前記蒸気発生装置に供給する燃料は、前記高炉ガスを含む燃料ガス、または石炭若しくは油の少なくともいずれかと前記高炉ガスを含む燃料ガスを含むものであり、
前記高炉吹き抜け時に、前記蒸気発生装置に供給する燃料流量が減少される燃料は、
前記蒸気発生装置に供給する燃料が前記高炉ガスを含む燃料ガスである場合は、当該高炉ガスを含む燃料ガスであり、
前記蒸気発生装置に供給する燃料が前記石炭または前記油の少なくともいずれかと前記高炉ガスを含む燃料ガスを含むものである場合は、前記石炭、前記油または前記高炉ガスを含む燃料ガスの少なくともいずれかであることを特徴とする、請求項１に記載の高炉ガス焚き発電設備における高炉吹き抜け時の制御方法。
【発明の詳細な説明】
【技術分野】
【０００１】
本発明は、高炉から副生ガスとして得られる高炉ガスを燃料とする高炉ガス焚き発電設備において、高炉に吹き抜けが発生したときにおいても発電設備を安定的に運転継続させるための制御方法に関するものである。
【背景技術】
【０００２】
従来から、製鉄所においては、高炉から副生ガスとして得られる高炉ガス（ＢＦＧ）をボイラで燃焼させ、ボイラから発生する高温、高圧の蒸気を用いて蒸気タービン発電機により発電すること、またはガスタービン用燃焼器で高炉ガスを燃焼させ、発生する燃焼ガスを用いてガスタービン発電機により発電すること、すなわち高炉ガス焚き発電が行なわれている。
【０００３】
ところで高炉の操業中においては、いわゆる吹き抜けと称される現象が発生することがある。吹き抜けは、高炉内鉱石層の一部が流動化もしくはチャンネリングを起こして、大量のガスが、装入物と熱交換あるいは反応せずに、多量の顕熱とともに炉頂に達する現象である。このような吹き抜けが発生すると、高炉ガスのカロリー、即ちボイラで燃料として用いる際の発熱量が高くなる。そのため、ボイラに供給する燃料としての高炉ガスの流量が吹き抜けの前後で維持された場合、ボイラに供給される燃料の発熱量の総量が増大する。そうすると、ボイラの負荷が変動し、それに伴い火炉内圧力や、蒸気温度、蒸気圧力などのプロセス値が急激かつ大幅に変動する。その結果、いわゆるボイラトリップ状態に陥ってしまうことがある。そしてトリップ状態となれば、高炉ガス焚き発電設備からの電力及び蒸気の供給が停止するので、その場合の製鉄所内外に与える悪影響は多大となる。具体的には、製鉄所内の各工場への送電が停止することで、各工場の操業を停止せざるを得ない事態が生じたり、発電設備から製鉄所内の各工場への送気が停止することで、各所での操業に支障をきたしたりしてしまう。
【０００４】
上述のような観点から、高炉ガス焚き発電においては、高炉の吹き抜け時において、ボイラに供給される高炉ガスの発熱量が急激に増大することを防止して、吹き抜けによるボイラへの悪影響を最小限に抑えることが強く望まれる。
【０００５】
高炉の吹き抜け時において、ボイラに供給される高炉ガスの発熱量が急激に増大することを防止するための方法としては、既に特許文献１などにおいて提案されている。
【０００６】
特許文献１には、高炉ガスの温度から高炉ガス発熱量を推定し、さらに高炉ガス温度・圧力によって発熱量補正を行い、補正後の高炉ガス発熱量を基に、ボイラへ高炉ガスを導く流路に設けられた流量調節弁を制御して、ボイラへ供給する高炉ガスの熱量の変動を抑制する装置が提案されている。
【先行技術文献】
【特許文献】
【０００７】
【特許文献１】特公平５−７７９２６号公報
【発明の概要】
【発明が解決しようとする課題】
【０００８】
しかしながら、特許文献１のように、燃料流量を急激に変動させると、ボイラの火炉内圧力や、蒸気圧力などのプロセス値が急激かつ大幅に変動し、ボイラがトリップするおそれがある。したがって特許文献１の方法を実操業に適用しても、高炉の吹き抜け時においてボイラのトリップを確実かつ安定して防止することは困難であった。
【０００９】
本発明はかかる点に鑑みてなされたものであり、高炉ガスを燃料として蒸気を発生する蒸気発生装置から発生する蒸気を用いた発電設備において、高炉の吹き抜け発生時の高炉ガスの発熱量の急激な増大に起因してトリップが発生してしまうことを、確実かつ安定して防止することを目的としている。
【課題を解決するための手段】
【００１０】
前記の目的を達成するための本発明は、高炉ガスを含む燃料を燃焼させて蒸気を発生させる蒸気発生装置と、前記蒸気発生装置で発生した蒸気の熱エネルギーを回転エネルギーに変換する蒸気タービンと、前記蒸気タービンの回転エネルギーを電力に変換する発電機と、を有する高炉ガス焚き発電設備における高炉吹き抜け時の制御方法であって、高炉吹き抜け時に、前記蒸気発生装置に供給する燃料流量を予め定められた所定の流量まで減少させると共に、前記蒸気発生装置から前記蒸気タービンに蒸気を供給する主蒸気管に設けられた、前記蒸気タービンに流入する蒸気量を制御するガバナ弁の制御対象を、前記発電機の出力から前記主蒸気管の圧力に切り替え、前記ガバナ弁による前記主蒸気管の圧力制御は、前記高炉吹き抜け前の前記主蒸気管の圧力を維持するように行われ、前記高炉吹き抜け時に減少させる、前記蒸気発生装置に供給する燃料流量は、前記蒸気発生装置に供給する燃料の総発熱量が、前記前記高炉吹き抜けの前後で変動しないように定められることを特徴としている。
【００１１】
本発明によれば、高炉吹き抜け時に、蒸気発生装置に供給する燃料流量を予め定められた所定の流量まで減少させると共に、ガバナ弁により主蒸気管の圧力が高炉吹き抜けの前後で変動しないように制御するので、高炉吹き抜けにより高炉ガスの発熱量が変動した場合であっても、蒸気発生装置への投入熱量の変動、及び主蒸気管の圧力変動を最小限に抑えることで、高炉ガス焚き発電設備を安定運転させ、当該発電設備の運転を継続させることができる。
【００１３】
前記蒸気発生装置はボイラであり、蒸気発生装置に供給する燃料は、前記高炉ガスを含む燃料ガス、または石炭若しくは油の少なくともいずれかと前記高炉ガスを含む燃料ガスを含むものであり、前記高炉吹き抜け時に、前記蒸気発生装置に供給する燃料流量が減少される燃料は、前記蒸気発生装置に供給する燃料が前記高炉ガスを含む燃料ガスである場合は、当該高炉ガスを含む燃料ガスであり、前記蒸気発生装置に供給する燃料が前記石炭または前記油の少なくともいずれかと前記高炉ガスを含む燃料ガスを含むものである場合は、前記石炭、前記油または前記高炉ガスを含む燃料ガスの少なくともいずれかであってもよい。
【発明の効果】
【００１４】
高炉ガスを燃料として蒸気を発生する蒸気発生装置から発生する蒸気を用いた発電設備において、高炉の吹き抜け発生時の高炉ガスの発熱量の急激な増大に起因してトリップが発生してしまうことを、確実かつ安定して防止することを目的としている。
【図面の簡単な説明】
【００１５】
【図１】本実施の形態に係る高炉焚き発電設備の構成の概要を示す系統図である。
【発明を実施するための形態】
【００１６】
以下、本発明の実施の形態について説明する。図１は、本実施の形態にかかる高炉ガス焚き発電設備１の構成の概要を示す系統図である。 
【００１７】
高炉ガス焚き発電設備１は、蒸気発生装置としてのボイラ１０と、ボイラ１０に高炉ガスを含む燃料を供給する燃料供給設備１１と、ボイラ１０から発生した高温高圧の過熱蒸気である主蒸気の熱エネルギーを回転エネルギーに変換する蒸気タービン１２と、蒸気タービン１２の回転エネルギーを電力に変換する発電機１３と、ボイラ１０で発生した主蒸気を蒸気タービン１２に導入する主蒸気管１４と、蒸気タービン１２で仕事をしてエンタルピが低下した蒸気を水に戻し復水として貯留する復水器１５と、ボイラ１０と復水器１５とを接続する給水管１６と、給水管１６に設けられ、復水器１５に貯留された復水をボイラ１０に給水する給水ポンプ１７と、を有している。なお、本実施の形態においては、ボイラ１０は、例えば蒸発器としてのドラム（図示せず）を有する循環型ボイラであり、蒸気タービン１２は、流入した蒸気の全量が復水器１５により回収される場合について説明する。
【００１８】
燃料供給設備１１は、ボイラ１０に燃料として石炭を供給する石炭供給系統２０と、燃料として高炉ガスを供給する高炉ガス供給系統２１を有している。石炭供給系統２０は、ボイラ１０に投入する燃料としての石炭を貯蔵する石炭バンカ３０と、石炭を粉砕して微粉化する微粉炭機３１と、後述する制御装置１００からの燃料投入指令に基づき、石炭バンカ３０から微粉炭機３１に石炭を投入する給炭機３２を備えている。微粉炭機３１で粉砕されて微粉化した石炭は、図示しない一次通風機から微粉炭機３１に通風される一次燃焼用空気に随伴して微粉炭バーナ３３に供給され、ボイラ１０内で燃焼される。
【００１９】
高炉ガス供給系統２１は、図示しない高炉の炉頂から排出された高炉ガスが流れる高炉ガス母管４０から分岐点Ｐにおいて分岐された高炉ガス供給管４１と、高炉ガス供給管４１を流れる燃料ガスとしての高炉ガスをボイラ１０内で燃焼させるガスバーナ４２を有している。高炉ガス供給管４１におけるガスバーナ４２と分岐点Ｐとの間には、ガスバーナ４２に供給する高炉ガスの流量を制御する流量調節弁４３が設けられている。
【００２０】
高炉ガス供給管４１における、流量調節弁４３と分岐点Ｐとの間には、高炉ガス供給管４１を流れる高炉ガスの状態量を検出するための状態量検出手段４４が設けられている。状態量検出手段４４は、高炉に吹き抜けが発生したことを検出するとともに、その吹き抜けの程度（高炉ガスの発熱量の増加の程度）を検出するためのものである。
【００２１】
状態量検出手段４４は、高炉ガス供給管４１を流れる高炉ガスの発熱量を測定する発熱量測定機構４４ａと、温度測定機構４４ｂ、圧力測定機構４４ｃ及び流量測定機構４４ｄを有している。これら発熱量測定機構４４ａ、温度測定機構４４ｂ、圧力測定機構４４ｃ及び流量測定機構４４ｄにおける測定結果も、後述の制御装置１００に伝送される。なお、状態量検出手段４４は、高炉に吹き抜けが発生したことをより早く検出するために、高炉ガス母管４０に極力近い位置（分岐点Ｐに極力近い位置）に配置することが好ましい。また、高炉吹き抜けが発生したことをより早く検出するという観点からは、例えば高炉ガス母管４０に設けられた図示しない状態量検出手段により高炉ガスの状態を監視し、高炉吹き抜けが検出されたときに、その旨の信号を制御装置に入力するようにしてもよい。
【００２２】
主蒸気管１４には、ボイラで発生した主蒸気の圧力を測定する蒸気圧力測定機構５０と、蒸気タービン１２に導入する主蒸気の流量を制御するガバナ弁５１が設けられている。蒸気圧力測定機構５０は制御装置１００に電気的に接続されており、当該蒸気圧力測定機構５０で検出された圧力は制御装置１００に入力される。
【００２３】
次に、制御装置１００について説明する。制御装置１００は、状態量検出手段４４で検出された高炉ガスの状態量を常時監視し、当該状態量に基づいて高炉の吹き抜けの有無を検出する。具体的には、状態量検出手段４４の発熱量測定機構４４ａで測定された高炉ガスの発熱量（本実施の形態では標準状態における発熱量）が予め定めた閾値を超えたときに高炉に吹き抜けが発生したと判定する。なお、一般に発熱量測定機構４４ａでは、発熱量は標準状態（０℃、１気圧での状態）における値として測定される一方で、流量測定機構４４ｄでは実際の高炉ガスの温度、圧力下における流量（実ガス流量）として測定される。そのため、制御装置１００では、温度測定機構４４ｂ及び圧力測定機構４４ｃの測定結果に基づいて、発熱量測定機構４４ａで測定された高炉ガスの発熱量を実ガスにおける発熱量に換算する。そして、換算後の発熱量及び必要燃料投入量に基づいてボイラ１０に供給する高炉ガス実ガス流量を算出し、この算出された実ガス流量に基づいて流量調節弁４３の開度を制御している。なお、流量測定機構４４ｄで測定される流量は、厳密には実ガス流量ではなく、流量測定機構４４ｄの設計圧力、温度における流量であるため、実際の高炉ガスの圧力、温度に基づいて流量補正された値が流量調節弁４３などの制御に用いられる。
【００２４】
なお、高炉から排出される高炉ガスは、ベンチュリスクラバ（図示せず）等における水の散布によって水蒸気飽和の状態となっているのが通常であるので、ボイラ１０供給する高炉ガスの流量算出の際には、温度測定機構４４ｂ及び圧力測定機構４４ｃの測定結果に基づいて、水蒸気についての補正も同時に行われる。なお、例えば発熱量測定機構４４ａが、実ガス状態における発熱量を測定する機能を具備している場合は、温度測定機構４４ｂ及び圧力測定機構４４ｃは必ずしも設ける必要はない。
【００２５】
そして、高炉において吹き抜けが発生したと判定されると、制御装置１００では、吹き抜け発生後にボイラ１０に投入される燃料の総発熱量が、吹き抜け発生前にボイラ１０に投入されていた燃料の総発熱量から変化しないように、減少させるべき高炉ガスの流量を算出する。具体的には、例えば高炉吹き抜け前（通常時）に、高炉ガスが概ね発熱量８００ｋｃａｌ／Ｎｍ３、圧力４ｋＰａ、温度４０℃で、３０万Ｎｍ３／ｈｒの流量で供給されており、高炉吹き抜け後に、状態量検出手段４４での高炉ガスの検出値が、概ね発熱量１２００ｋｃａｌ／Ｎｍ３、圧力６ｋＰａ、温度７０℃に変化したとする。かかる場合、制御装置１００では、高炉吹き抜けにより発熱量が概ね１．５倍となった高炉ガスの流量を、三分の二の２０万Ｎｍ３／ｈｒに減少させるように計算が行われる。そして、制御装置１００では、高炉ガスの供給量が２０万Ｎｍ３／ｈｒとなるように、即ち、流量測定機構４４ｄでの測定値が２０万Ｎｍ３／ｈｒとなるように、流量調節弁４３の開度が制御される。なおこの際、流量測定機構４４ｄでの測定値は、既述の通り、温度測定機構４４ｂや圧力測定機構４４ｃの測定結果に基づいて適宜補正される。
【００２６】
また制御装置１００では、燃料流量の設定値の変更と共に、蒸気タービン１２の制御モードの切り替えが行われる。具体的には、高炉の吹き抜けが発生しておらず、高炉ガス焚き発電設備１が通常運転の状態にある場合は、制御装置１００は、発電機１３での電力量及び主蒸気管１４の圧力を所定の値に一定制御する、いわゆるボイラタービン協調制御モードによる制御が行われている。このボイラタービン協調制御では、制御装置１００により発電機１３の出力が制御設定値と一致するようにガバナ弁５１の開度が調整されると共に、主蒸気管１４の圧力、即ち、蒸気圧力測定機構５０での測定値が制御設定値と一致するようにボイラ１０への燃料の供給量が制御される。そして、状態量検出手段４４により高炉の吹き抜けが検出されると、制御装置１００は、上述のように、ボイラ１０への燃料供給量を減少させる。それと共に、蒸気圧力測定機構５０での測定値が高炉吹き抜けの前後で変化しないように、ガバナ弁５１により主蒸気圧力の制御を行う、いわゆるタービンフォローモード（前圧制御）へ制御モードを移行させる。これにより、ボイラ１０から発生する蒸気量の変動を最小限に抑えると共に、主蒸気管１４の圧力変動を最小限に抑える。
【００２７】
本実施の形態に係る高炉ガス焚き発電設備１には以上のように構成されている。次に、本実施の形態に係る高炉ガス焚き発電設備１において、高炉の吹き抜けが発生した場合の具体的な各機器の動作について説明する。
【００２８】
高炉の吹き抜けが生じていない通常時においては、発熱量測定機構４４ａで測定された高炉ガスの発熱量が制御装置１００により常時監視されている。そして、高炉ガス供給管４１を流れる高炉ガスの発熱量が予め定められた閾値を超えない場合は、換言すれば高炉の吹き抜けが生じていない場合は、高炉ガス焚き発電設備１の制御モードはボイラタービン協調モードとなっており、ガバナ弁５１は発電機１３の発電量を、流量調節弁４３や給炭機３２は主蒸気管１４の圧力をそれぞれ制御設定値に維持するように動作している。この状態においては、高炉ガス母管４０から高炉ガス供給管４１に導かれた高炉ガスは、流量調節弁４３により所定の流量がボイラ１０のガスバーナ４２へ連続的に供給される。
【００２９】
そして、制御装置１００において監視されている高炉ガスの発熱量が、予め定められた閾値を超えた場合には、高炉吹き抜けが発生したと判定される。
【００３０】
高炉の吹き抜けが発生すると、制御装置１００では、高炉吹き抜けの発生前後の高炉ガスの発熱量に基づいて、高炉吹き抜けの前後でボイラ１０に投入される燃料の総発熱量が変化しないように、流量調節弁４３を介してボイラ１０に供給すべき高炉ガスの流量が算出され、当該算出された値が新たな制御設定値となる。そして、流量調節弁４３は、この新たな制御設定値に基づいて開度が調節される。
【００３１】
また、高炉の吹き抜け発生時は、高炉ガスの供給量の設定値が変更されると共に、高炉ガス焚き発電設備１の制御モードが、ボイラタービン協調制御から、タービンフォローモードへと切り替えられる。これにより、ガバナ弁５１による制御対象が、発電機１３の出力から主蒸気の圧力、即ち主蒸気管１４に設けられた蒸気圧力測定機構５０の測定値となり、主蒸気管１４内の圧力が、高炉吹き抜けの発生前後で変化しないように、ガバナ弁５１の開度が制御される。
【００３２】
この際、状態量検出手段４４が高炉ガス母管４０からの分岐点Ｐに近い位置に設置されていると、状態量検出手段４４での測定値に基づいて制御装置１００で高炉の吹き抜けを検出してから、実際に発熱量が増加した高炉ガスがボイラ１０に供給されるまで時間差が発生することが考えられる。かかる場合、ボイラ１０に供給される燃料の総発熱量が一時的に減少し、ボイラ１０から発生する蒸気量が一時的に減少し、主蒸気管１４の圧力が低下することが考えられるが、ガバナ弁５１がタービンフォローモード（前圧制御）に切り替えられ、例えば主蒸気管１４の圧力が低下しないように、当該ガバナ弁５１の開度が閉方向に調節される。そのため、ボイラ１０における蒸気温度、蒸気圧力などのプロセス値が急激かつ大幅に変動することを抑制できる。
【００３３】
そして、高炉吹き抜けの結果、高炉ガス供給管４１から供給される高炉ガスの発熱量が増加すると、最終的にボイラ１０に供給される燃料の総発熱量は、高炉吹き抜けの前の値と同じとなる。その結果、制御モードがタービンフォローモードに切り替えられた状態の下でも、主蒸気管１４の圧力、及び発電機１３の出力が、高炉吹き抜け前と同じ状態となる。
【００３４】
そして、タービンフォローモードでの運転継続後、高炉の吹き抜けが収まると、高炉ガスの発熱量が徐々に低下していく。その状況下で、流量調節弁４３の制御設定値を高炉吹き抜け後の状態で維持すると、ボイラ１０に投入される燃料の総発熱量が徐々に低下していく。したがって、例えば制御装置１００で高炉ガスの発熱量の低下が確認され、高炉の吹き抜けが収まったと判断された場合、制御装置１００では流量調節弁４３の制御設定値を徐々に上昇させ、最終的に、高炉吹き抜け前の状態まで戻す。そして、主蒸気管１４の圧力や発電機１３の出力が所望の値で静定した後は、制御装置１００における制御モードがタービンフォローモードから再度ボイラタービン協調モードに移行して、引き続き運転が継続される。
【００３５】
以上の実施の形態によれば、高炉の吹き抜けが発生した際に、ボイラ１０に供給する燃料流量を予め定められた所定の流量、即ち、高炉の吹き抜けの発生前後でボイラ１０へ投入される燃料の総発熱量が変動しないように、高炉ガスの供給量を減少させると共に、ガバナ弁５１により主蒸気管１４の圧力が高炉吹き抜けの前後で変動しないように制御するので、高炉吹き抜けにより高炉ガスの発熱量が変動した場合であっても、ボイラ１０への投入熱量の変動、及び主蒸気管１４の圧力変動を最小限に抑えることができる。その結果、高炉ガスの発熱量の急激な増大に起因してトリップが発生してしまうことを、確実かつ安定して防止し、高炉ガス焚き発電設備１の運転を安定した状態で継続させることができる。
【００３６】
なお、以上の実施の形態では、高炉の吹き抜けの前後でボイラ１０に投入される燃料の総発熱量が変動しないように、換言すれば、ボイラ１０の負荷が変動しないように、燃料流量の制御設定値を変更したが、高炉の吹き抜けの後の燃料流量の制御設定値の決定の仕方は、本実施の形態の内容に限定されるものではない。換言すれば、高炉吹き抜け後のボイラ１０の負荷を高炉吹き抜け前の負荷より低くすることを否定するものではなく、例えばボイラ１０の負荷が８０％超で１００％以下の場合は、高炉吹き抜け時にボイラ負荷が一律に８０％となるように制御してもよい。
【００３７】
また、以上の実施の形態では、高炉吹き抜け時に高炉ガスの流量を制御すべく、流量調節弁４３の制御設定値を変更したが、ボイラ１０に投入される燃料の総発熱量を維持するという観点からは、高炉ガス以外の燃料、例えば石炭の投入量を変化させるように、給炭機３２の制御設定値を変化させるようにしてもよい。
【００３８】
また、本実施の形態では、ボイラ１０が高炉ガスと石炭の混焼ボイラである場合を例として説明したが、ボイラ１０は例えば高炉ガスの専焼であってもよい。かかる場合、燃料供給設備１１は高炉ガス供給系統２１を有していれば足り、高炉ガスを含む燃料とは、高炉ガス供給系統２１から供給される高炉ガスを意味する。また、ボイラ１０は、高炉ガスと例えばコークス炉ガス（ＣＯＧ）やＬＮＧ、ＬＰＧといった他の燃料ガスとの混焼、あるいは例えば軽油、灯油、重油等の燃料油または石炭の少なくともいずれかと高炉ガスを含む燃料ガスとの混焼であってもよい。かかる場合、ボイラ１０に供給される燃料の内の少なくともいずれかの制御設定値を変更するようにしてもよい。なお、ここでいう高炉ガスを含む燃料ガスとは、高炉ガスのみから構成される燃料ガスも含む。
【００３９】
以上の実施の形態では、蒸気発生装置はボイラ１０であったが、蒸気発生装置としては、高炉ガスを燃料として用い且つ蒸気を発生することができるものであれば、例えば高炉ガスを燃料としてガスタービンを運転し、その排気ガスで蒸気を発生させる、いわゆるＧＴＣＣ（ガスタービンコンバインドサイクル）設備であってもよい。かかる場合も、高炉の吹き抜けの際にガスタービンに供給する燃料流量を減少させ、排熱回収ボイラから発生する主蒸気の圧力を、蒸気タービン１２のガバナ弁５１で制御するようにしてもよい。
ことが好ましい。
【００４０】
なお、本発明の高炉吹き抜け時の制御方法は、高炉ガス焚き発電のための蒸気生成用ボイラに最適であるが、その他の用途の高炉ガス焚きボイラにも適用し得ることはもちろんである。
【符号の説明】
【００４１】
１    高炉ガス焚き発電設備
１０   ボイラ 
１１  燃料供給設備
１２  蒸気タービン
１３  発電機
１４  主蒸気管
１５  復水器
２０  石炭供給系統
２１  高炉ガス供給系統２１
３０  石炭バンカ
３１  微粉炭機
３２  給炭機
４０  高炉ガス母管
４１  高炉ガス供給管
４２  ガスバーナ
４３  流量調節弁
４４  状態量検出手段
４４ａ  発熱量測定機構
４４ｂ  温度測定機構
４４ｃ  圧力測定機構
４４ｄ  流量測定機構
５０  蒸気圧力測定機構
５１  ガバナ弁
Ｐ    合流点
【図１】
0006520317.tif 000002